(57)【要約】  本発明は、入口に流入する低温の水を加熱装置を用いて高温に加熱し、該高温の水を出口から供給する給湯システムに関する。本発明に基づく前記給湯システムは、前記流入水をユーザ設定温度で供給するために前記加熱装置の熱を前記流入水に伝達する熱交換器と、前記給湯システムに流入する水の流量を測定する流量センサと、前記熱交換器から排出される水を貯留する水タンクと、前記水がその中を流れる管の所定の位置に取り付けられた温度センサと、ユーザが所望の条件を入力することを可能にする入力部を有する制御装置であって、前記ユーザ設定温度と前記温度センサによって測定された温度とを比較することによって前記加熱装置の動作を制御すると共に、前記流量センサによって測定された流量の変化に基づいて前記加熱装置の動作を制御する制御装置とを有する。
2011525231.tif 000002
【特許請求の範囲】
【請求項１】
入口に流入する低温の水を加熱装置を用いて高温に加熱し、該高温の水を出口から供給する給湯システムであって、該システムが：
前記流入水をユーザ設定温度で供給するために、前記加熱装置の熱を前記流入水に伝達する、熱交換器と；
前記給湯システムに流入する水の流量を測定する流量センサと；
前記熱交換器から排出される水を貯留する水タンクと；
水がその中を流れる管の所定の位置に取り付けられた温度センサと；
ユーザが所望の条件を入力することを可能にする入力部を有する制御装置と；
を備え、前記制御装置が、前記ユーザ設定温度と前記温度センサによって測定された温度とを比較することによって前記加熱装置の動作を制御し、前記流量センサによって測定された流量の変化に基づいて前記加熱装置の動作を制御する、給湯システム。
【請求項２】
請求項１に記載の給湯システムであって：
該システムが、前記入口側の管に形成された第２の分岐点を前記出口側の管に形成された第１の分岐点と接続するための管に取り付けられたポンプを更に備え；
前記ユーザが湯を使用していない時には、前記制御装置が、前記給湯システム内の水が前記第１の分岐点、前記第２の分岐点及び前記熱交換器を接続するための内部循環経路内を予熱循環温度に従って前記ポンプによって循環する予熱循環モードとなっている；
給湯システム。
【請求項３】
請求項２に記載の給湯システムであって、前記制御装置が、ユーザが前記入力部に入力する設定温度に基づき、前記設定温度と等しいか又はこれよりも高い温度を予熱循環オフ温度として、また前記設定温度よりも低い温度を予熱循環オン温度として決定し、前記加熱装置を、前記温度センサによって測定された温度が前記予熱循環オン温度と等しいか又はこれよりも低い場合には始動し、前記温度センサによって測定された温度が前記予熱循環オフ温度と等しいか又はこれよりも高い場合には停止するように制御する、給湯システム。
【請求項４】
請求項３に記載の給湯システムであって、前記予熱循環モードを実行する、一日から選択される時点を前記ユーザが前記入力部に入力すると、これに対応して前記制御装置が前記予熱循環モードを制御する、給湯システム。
【請求項５】
請求項４に記載の給湯システムであって、前記ポンプと前記第２の分岐点とを接続するための管に設けられた逆流防止弁を更に備えた、給湯システム。
【請求項６】
請求項２乃至５のいずれか一つに記載の給湯システムであって、前記第１の分岐点と前記出口とを接続するための管に第３の分岐点が形成されており、前記第１の分岐点と前記ポンプとの間に三方向弁が設けられており、前記予熱循環モードにおいて、予熱された水が、前記第３の分岐点と前記三方向弁とを接続するための更なる管に設けられたラジエータ内を通過する、給湯システム。
【発明の詳細な説明】
【技術分野】
【０００１】
本発明は、湯温を一定に維持するための給湯システムに関し、より詳細には、湯の使用量の変化に伴って一時的に起こる前記湯の温度のオーバーシュート及びアンダーシュートを緩和する、湯温を一定に維持するための給湯システムに関する。
【背景技術】
【０００２】
一般には、給湯システム（以下「給湯装置」と称する）は、水を短時間で所定の温度に加熱して供給するために用いられる。給湯装置の性能は主に、湯温がどれだけ迅速にユーザの設定温度に到達するか、また前記ユーザ設定温度を維持している湯を、前記湯の使用量が変化しても供給できるか否かによって決定される。
【０００３】
図１は、バイパス弁を有する公知の給湯装置の構成を図示した概略図であり、図２は、前記給湯装置の湯の使用量の減少に伴う湯温の変化を表したグラフである。
【０００４】
前記給湯装置は、流入水の流量を感知する流量センサ１と、前記流入水の温度を測定する流入水温度センサ２と、加熱装置（バーナ）の熱を前記流入水に伝達する熱交換器３と、流入管と流出管とを相互に直接に接続するバイパス管４と、前記流入水を、前記加熱装置３を経由せずに前記バイパス管４を経由して前記流出管に直接に供給するためのバイパス弁５と、前記流出管内の湯の温度を測定する流出水温度センサ６と、流出湯の量を制御する流量制御弁７とを有する。
【０００５】
湯を使用する際に、図２のグラフにおける時点Ｐ１でユーザが前記湯の使用量を高流量から低流量へと減少させると、制御装置（図示せず）が前記流量センサ１により前記流量の減少を感知し、前記バーナの加熱力を低下させる。しかし、前記湯の使用量の減少前に高流量の湯が前記熱交換器３に供給されるので、前記熱交換器３内部には既に大量の熱が供給されている。このため、このような状態では、前記熱交換器を通過する流量が減少して前記バーナの加熱力が低下するのにもかかわらず、設定温度よりも高温の湯が一時的に流出してしまう。
【０００６】
前記設定温度よりも高い温度の湯が流出する（以下「オーバーシュート」と称する）時間を最小限に抑えるために、前記制御装置は、前記バーナの加熱力を所定の時間の間、迅速に低下させる。この結果、図２に示すように、前記ユーザ設定温度よりも高温の湯が一時的に流出し（矢印ａを参照）、その後、所定の時間の間、前記ユーザ設定温度よりも低温の湯が流出する（以下「アンダーシュート」と称する）（矢印ｂを参照）。
【０００７】
従って、ユーザが湯の流量を高流量から低流量に変更した時の流出温度の一時的な上昇を防止するために、ユーザは通常時は前記バイパス弁を閉めておき、使用流量の急激な減少に伴ってオーバーシュートが起こった時には、前記バイパス弁５を開いて、流入水を前記熱交換器３を経由せずに前記流出管に直接に送出する。前記バイパス弁５を経由して前記流出管に送出された前記低温の水は、前記オーバーシュートした高温の湯と混ざり合うことで、前記流出温度のオーバーシュートを緩和する。
【０００８】
しかし、ユーザが湯の使用量を低流量から高流量に変更した場合には、前記バイパス弁５を有する給湯装置が前記アンダーシュートの増大を防ぐことは困難である。
【０００９】
上述の問題を解決するため、図３に示すように、前記公知のバイパス弁の代わりに流れを制御可能な混合弁８を有する給湯装置が開発されてきた。
【００１０】
この給湯装置は、混合弁８を通常時においても僅かに開いておくことにより、流入水のうちの少量の水が熱交換器３を経由せずに流出管へと流れることを可能にする。そうすると、熱交換器３を経由しない低温の水が流出管内へと流入して、ユーザ設定温度よりも高い制御温度に設定された熱交換器３を経由する水と混合する。この結果、混合弁８を経由する水が熱交換機３を経由する水と混合し、前記流出管内の湯の温度が前記ユーザ設定温度に達する。
【００１１】
例えば、図４のグラフに示す時点Ｐ１で湯の使用量が急速に減少すると、前記制御装置が、混合弁８を更に開き、バイパス管４を経由して前記流出管へと直接に供給される水の量を増加させることにより、一時的なオーバーシュートを緩和する。一方、湯の使用量の急速な増加によってアンダーシュートが起こった場合には、前記制御装置が、混合弁８を更に閉じることにより、前記熱交換器を経由せずにバイパス管４を経由して前記流出管へと直接に供給される水の量を減少させる。このような方法で、前記流出管から熱交換器３を経由して流出する水の量を相対的に増加させることにより、設定温度を調節する。
【００１２】
前記混合弁を上述のように用いると、湯の使用量の変化に伴う温度変化が迅速に縮小するので、設定温度に比較的近い温度の湯を使用することができる。図４のグラフに示すように、湯の使用量の減少に伴って起こる前記湯の温度のオーバーシュート及びアンダーシュートは、図２のグラフに示すオーバーシュート及びアンダーシュートと比較すると小さい。
【発明の概要】
【発明が解決しようとする課題】
【００１３】
上述のように、図１に示す給湯装置は、湯の使用量の減少に伴って起きる前記湯の温度の一時的なオーバーシュートを緩和することが可能であるが、前記湯の使用量が増加した場合のアンダーシュートに有効に対処することができない。
【００１４】
これに対し、図３に示す給湯装置は、湯の使用量の変化に伴う前記湯の温度の一時的なオーバーシュート及びアンダーシュートに対処することが可能である。しかし、この給湯装置には、湯を使用する際の流量の変化に伴って前記湯の温度を調節する目的で、前記熱交換器の出口の温度がユーザ設定温度よりも平均約２０℃高くなるように制御されているために、給湯装置の効率が低い。
【００１５】
更に、公知の通り、凝縮給湯装置は、排気ガスの凝縮熱を回収し、この熱を湯の加熱に利用する。この場合、熱交換器の出口の温度が高温に制御されていると、給湯口の温度が、排気ガスの凝縮温度である約５５℃よりも高くなるので、排気ガスの凝縮が困難となる。このため、排気ガスの凝縮熱を回収することができないので、給湯装置の効率が低くなる。
【００１６】
更に、使用する水の質によるが、使用する水が石灰を含有する場合、石灰の殆どは５５℃以上で抽出される。図３に示す給湯装置の場合、設定湯温を、一般的にユーザが設定する温度である約５０℃と仮定すると、熱交換器は、給湯口の温度を調節するために、５０℃よりも約２０℃高い７０℃に設定湯温を制御する。ユーザの流入管に流入する水に石灰が含有される場合、石灰が熱交換器内で抽出されるために、使用期間が長期にわたると給湯装置の効率が低下し、熱交換器内の熱伝達が減少し、この結果、部分沸騰が発生して給湯装置の耐久性が低下するおそれがある。
【課題を解決するための手段】
【００１７】
従って、本発明の第１の目的は、給湯装置の効率性を最大限に保ちながら、湯の使用量の変化に伴って一時的に起こる前記湯の温度のオーバーシュート及びアンダーシュートを緩和する、湯温を一定に維持するための給湯システムを提供することである。
【００１８】
更に、本発明の第２の目的は、凝縮給湯装置において、熱交換器の出口の温度を排気ガスの凝縮温度以下に制御することにより、前記排気ガスの凝縮熱を回収して給湯装置の効率を向上させる、湯温を一定に維持するための給湯システムを提供することである。
【００１９】
加えて、本発明の第３の目的は、流入水が石灰分を含有する場合に、熱交換器の内部温度を石灰の抽出温度以下に制御することにより、前記熱交換器内で石灰が抽出されることを防止する、湯温を一定に維持するための給湯システムを提供することである。
【発明の効果】
【００２０】
本発明によれば、湯の使用量が変化した場合に、前記湯の温度の一時的な変化を水タンクから吸収可能であることにより、前記湯の温度が急激に変化することなく前記湯を使用することができる。更に、凝縮給湯装置において、熱交換器の出口の温度が排気ガスの凝縮温度以下に制御されることから、前記給湯装置の効率が向上し、また前記熱交換器の内部温度を石灰の抽出温度よりも低く制御できるので、前記熱交換器の耐久性の低下を防止可能である。
【００２１】
更に、所定量の水を貯留する水タンクが給湯装置内に組み込まれており、前記水タンク内に水が貯留され、湯を使用していない状態においても管内に残留している水が予熱され循環するので、ユーザが湯を使用したいときに設定温度レベルの湯を非常に短時間で供給可能であり、また冬季の周囲温度の低下による管の凍結を防止することが可能である。
【００２２】
更に、予熱循環中の水流路において、三方向弁を手動又は自動で操作することで水が外部ラジエータを経由して流れるので、給湯装置内に残留している水が、内部ポンプ１個のみを用いて予熱され、暖房に使用される。
【図面の簡単な説明】
【００２３】
【図１】バイパス弁を有する公知の給湯システムの構成を示す図である。
【図２】図１に示すシステムにおける湯の使用量の減少に伴う前記湯の温度の変化を表すグラフである。
【図３】混合弁を有する公知の給湯システムの構成を示す図である。
【図４】図３に示すシステムにおける湯の使用量の減少に伴う前記湯の温度の変化を表すグラフである。
【図５】本発明の第１の実施例に基づく給湯システムの構成を示す図である。
【図６】図５に示す給湯システムにおける予熱中の水流路を示す図である。
【図７】図５に示す給湯システムにおける湯の使用中の水流路を示す図である。
【図８】本発明の第２の実施例に基づく給湯システムの構成を示す図である。
【図９】図８に示す給湯システムにおける予熱中の水流路を示す図である。
【図１０】図８に示す給湯システムにおける湯の使用中の水流路を示す図である。
【図１１】本発明に基づく給湯システムにおける湯の使用量の増加に伴う前記湯の温度の変化を表すグラフである。
【図１２】本発明に基づく給湯システムにおける湯の使用量の減少に伴う前記湯の温度の変化を表すグラフ
【発明を実施するための形態】
【００２４】
本発明によれば、入口に流入する低温の水を加熱装置を用いて高温に加熱し、前記高温の水を出口から供給する給湯システムが、前記流入水をユーザ設定温度で供給するために前記加熱装置の熱を前記流入水へと伝達する熱交換器と、前記給湯システム内に流入する水の流量を測定する流量センサと、前記熱交換器から排出された水を貯留する水タンクと、前記水がその中を流れる管の所定の位置に組み込まれた温度センサと、ユーザが所望の条件を入力することを可能にする入力部を有する制御装置とを有し、前記制御装置が、前記ユーザ設定温度と前記温度センサによって測定された温度とを比較することで前記加熱装置の動作を制御し、また前記流量センサによって測定された流量の変化に基づいて前記加熱装置の動作を制御する。
【００２５】
また、前記給湯システムは、前記入口側の管に形成された第２の分岐点を前記出口側の管に形成された第１の分岐点と接続するための管に取り付けられたポンプを更に有し、ユーザが湯を使用していない時には、前記制御装置が、前記給湯システム内の水を、予熱循環温度に従って、前記第１の分岐点、前記第２の分岐点及び前記熱交換器を接続する内部循環経路内を前記ポンプを用いて循環させる予熱循環モードとなる。
【００２６】
更に、ユーザが前記入力部に入力する設定温度に基づき、前記制御装置は前記設定温度以上の温度を予熱循環オン温度として、また前記設定温度よりも低い温度を予熱循環オフ温度として定め、前記加熱装置を、前記温度センサによって測定された温度が前記予熱循環オン温度以下である場合には始動し、前記温度センサによって測定された温度が前記予熱循環オフ温度以上である場合には停止するように制御する。
【００２７】
更に、ある一日から選択された、予熱循環モードを実行する時点をユーザが前記入力部に入力すると、これに対応して前記制御装置が前記予熱循環モードを制御する。
【００２８】
また、前記給湯システムには、前記ポンプと前記第２の分岐点とを接続するための管に設けられた逆流防止弁が更に含まれる。
【００２９】
更に、前記第１の分岐点と前記出口とを接続するための管に第３の分岐点が形成され、前記第１の分岐点と前記ポンプとの間に三方向弁が設けられており、前記予熱循環モードにおいて予熱された水が、前記第３の分岐点と前記三方向弁とを接続するための更なる管に設けられたラジエータを経由して流れるようになっている。
【発明の態様】
【００３０】
本発明の好適な実施例の構成及び動作を、添付の図面を参照しながら以下に詳細に説明する。前記の図面における参照記号について、異なる図面であっても、同様の要素は同じ参照記号で表されている。
【００３１】
図５は、本発明の第１の実施例に基づく給湯装置の構成を示す図である。図６は、予熱中の水流路を示す図である。図７は、湯の使用中の水流路を示す図である。
【００３２】
図５に示すように、本発明の第１の実施例に基づく給湯装置１００は、入口１０へと流入する水の温度を測定する流入水温度センサ１１と、前記流入水の流量を測定する流量センサ１２と、ユーザ設定温度の前記流入水を送出するためにバーナの熱を前記流入水へと伝達する熱交換器１３と、前記熱交換器１３から流出する水の温度を測定する流出水温度センサ１４と、前記熱交換器１３から流出する水を貯留する水タンク１５と、湯の流量を制御する流量制御弁１６と、出口２０側の管に形成された第１の分岐点２１を入口１０側の管に形成された第２の分岐点２２と接続するための管２４に取り付けられたポンプ１７と、逆流を防止する逆流防止弁１８と、ユーザが自らの所望する条件を入力することを可能にする入力部３１を有する制御装置３０とを有する。
【００３３】
ユーザが湯を使用していない時には、出口２０は閉じられており、図６に太線で図示される経路内を湯が循環する予熱循環モードが、ポンプ１７を用いた圧力によって作動している。
【００３４】
前記予熱循環モードでは、流出水温度センサ１４と接続された制御装置３０が、前記流出水温度センサ１４によって測定された温度を、ユーザが前記入力部を介して入力した設定温度と比較する。例えば、ユーザ設定温度が４０℃である場合、制御装置３０は、前記流出水温度センサ１４によって測定された温度が前記ユーザ設定温度＋５℃よりも高い場合には前記熱交換器１３内の加熱をオフにし、前記流出水温度センサ１４によって測定された温度が前記ユーザ設定温度−５℃よりも低い場合には前記熱交換器１３内の加熱をオンにするように構成されている。もちろん、前記設定温度は例として挙げたものであり、許容範囲はユーザにより変更可能である。
【００３５】
このように、第１の分岐点２１、ポンプ１７、第２の分岐点２２及び熱交換器１３を接続する閉じた内部循環経路を形成することにより、水タンク１５内に貯留された水及び前記給湯装置１００内の管に残留している水は、ユーザが湯を使用していない時であっても予熱される。従って、前記ユーザが湯を使い始める時には、前記予熱された水は、ユーザによって設定された湯温に常に短時間で達することが可能である。
【００３６】
更に、湯が前記予熱循環モード中は常に循環しているので、冬季の周囲温度の低下による前記給湯装置の管の凍結が防止されるという更なる効果も得られる。
【００３７】
予熱循環を実施する時点を、ユーザが入力装置３１を操作することにより任意に設定してもよい。例えば、予熱循環がユーザによって２４時間常に実施されてもよい。これとは反対に、予熱循環が、例えば午前６時から午後１２時までなどの就寝時間以外の時間にユーザによって実施されてもよい。
【００３８】
ユーザが湯を使用する際には、図７の太線で示されるように、入口１０を通って流入する水が熱交換器１３によって加熱され、水タンク１５を介して出口２０からユーザに供給される。
【００３９】
ユーザが前記湯を使用するために出口２０に取り付けられた弁を開くと、第１の分岐点２１に到達した水が、圧力差によって出口２０から全て排出され、この結果、図６に示すように、前記内部循環がそれ以降は行われない。流量センサ１２が入口１０と熱交換器１３とを連結している管に取り付けられていることにより、水の流れが感知されると、感知信号が制御装置３０へと伝送され、制御装置３０は加熱装置を作動させて熱交換器１３内の温度を制御する。
【００４０】
以下に、ユーザの湯の使用量が変化した場合に、前記湯の一時的なオーバーシュート及びアンダーシュートを防止することで湯温の変化を最小限に抑えることの可能な本発明の構成を説明する。
【００４１】
ユーザが湯を使用すると、流入水の温度が流入水センサ１１によって感知され、使用された湯の流量が流量センサ１２によって把握される。この構成により、前記流入水の温度をユーザ設定湯温に達するように制御するためのバーナの加熱力が決定され、前記バーナの加熱力が熱交換器１３によって前記流入水に伝達されるので、前記ユーザ設定温度の湯を排出することが可能である。従って、熱交換器１３から排出されて水タンク１５に貯留される水の温度は、前記ユーザ設定温度と同じである。
【００４２】
ユーザが湯の使用量を増加させると、前記湯の使用量の増加が流量センサ１２によって把握される。この時点で、制御装置３０は、前記バーナの加熱力を増加させることにより、前記湯の温度を前記ユーザ設定温度に達するように調節する。しかし、制御装置３０が前記湯の使用量の増加を把握することによって前記バーナの加熱力を増加させるのには所定の時間がかかり、前記所定の時間中に大量の水が熱交換器１３内へと流入する。前記バーナの加熱力を増加させても、以前の低い流量に適した熱交換器１３内部の熱は徐々にしか増加せず、一方で熱交換器１３を経由する水の流量は増加するので、熱交換器から排出される水の温度が一時的にユーザ設定温度よりも低くなるアンダーシュートが起こる。
【００４３】
しかし、本発明の給湯装置１００の場合には、熱交換器１３から排出された水が、ユーザに供給される前に水タンク１５内に貯留された水と混合される。ユーザ設定温度に近い温度の湯が水タンク１５内に常に貯留されているので、熱交換器１３から排出された比較的低い温度の水は、ユーザに供給される前に水タンク１５内に貯留された水と混合され、この結果、ユーザ設定温度に十分に近い温度の水が得られる。
【００４４】
従って、湯の使用量の増加に伴って起こる比較的大きな一時的なアンダーシュートが前記水タンク内で吸収されるので、湯をその温度が著しく変化することなくユーザに供給することが可能である。同様に、湯の使用量が増加した時に、アンダーシュートを軽減するためにバーナの加熱力を急速に増加させることで起こる大きなオーバーシュートも、前記水タンク内で吸収することができる。
【００４５】
図１１は、ユーザが湯の使用量を増加させた場合の本発明の給湯装置１００内の湯温の変化を図示したものである。グラフに示すように、公知の給湯装置と比較してオーバーシュート及びアンダーシュートが著しく少ない。
【００４６】
ユーザが湯の使用量を減少させた場合に、熱交換器１３から排出される水の温度が一時的に上昇するオーバーシュートは起こるものの、熱交換器から排出される比較的高温の水が、水タンク１５内に貯留されている水と混合されるので、前記比較的大きなオーバーシュートは水タンク１５内で吸収される。このように、オーバーシュートの量が著しく減少するので、湯をその温度が著しく変化することなくユーザに供給することが可能である。同様に、湯の使用量が減少した場合には、オーバーシュートを防止するためにバーナの加熱力を急速に減少させることによって起こる比較的大きなアンダーシュートも、前記水タンク内で吸収することが可能である。
【００４７】
図１２は、ユーザが湯の使用量を減少させた場合の給湯装置１００内の湯温の変化を図示したものである。グラフに示すように、オーバーシュート及びアンダーシュートは公知の給湯装置と比較すると著しく少ない。
【００４８】
ユーザの湯の使用量の増加および減少に対処するためには、水タンク１５の容積が大きいことが望ましいが、水タンク１５の容積を大きくすると、給湯装置全体もこれに対応して大きいものになるので、水タンクの容積の増加には所定の限界がある。一般には、水タンクの容積は、２乃至３リットルの範囲内である。
【００４９】
本発明においては、流量制御弁１４が出口２０側に配置されているが、流量制御弁１４が、設計の都合上、入口１０側に配置されていてもよい。
【００５０】
以下に本発明の第２の実施例に基づく給湯装置１００を図８乃至１０を参照しながら説明する。
【００５１】
図８は、本発明の第２の実施例に基づく給湯装置１００の構成を示す図である。図９は、予熱中の水流路を示す図である。図１０は、湯の使用中の水流路を示す図である。
【００５２】
図８に示すように、本発明の第２の実施例に基づく給湯装置１００は、本発明の第１の実施例に基づく給湯装置１００の各要素に加えて、第１の分岐点２１と第２の分岐点２２とを接続するための管２４に取り付けられた三方向弁１９を有する。更に、第１の分岐点２１と出口２０とを接続するための管に第３の分岐点２３が形成され、第３の分岐点２３と三方向弁１９とを接続するための更なる管にラジエータ２５が設けられている。前記三方向弁１９は、水の流路を変えるための２つの入口１９ａ及び１９ｂと１つの出口１９ｃとから構成されている。
【００５３】
図９に示されるように、本発明の第２の実施例に基づく予熱循環プロセスにおいて、ユーザが湯を使用していない時には、三方向弁１９の第１の入口１９ａと出口２０とが閉じており、かつ三方向弁１９の第２の入口１９ｂ及び出口１９ｃが開いているので、図示する経路内を水が循環する。
【００５４】
給湯装置１００がこのような構成を有することにより、冬季の零下の気温による管の凍結が防止され、また予熱され循環している湯の熱が外部ラジエータ２５に伝達されて、暖房用に使用可能である。
【００５５】
本発明は、図９に示すように、水を循環させることにより、湯の供給と外部暖房とを１つのみのポンプ１７を用いて行うことが可能である点を別の一特徴とする。
【００５６】
図１０は、ユーザが湯を使用している時の水の流路を図示したものである。この場合にも、給湯装置は図７の第１の実施例と同様に動作する。
【００５７】
上述のように、本発明の給湯装置１００においては、湯の使用量が変化しても、前記湯の温度の一時的な変化を水タンク１５によって吸収可能なので、湯をその温度が著しく変化することなく供給することができる。
【００５８】
更に、熱交換器１３の制御温度を設定湯温に制御可能なので、前記熱交換器の出口の温度が排気ガスの凝縮温度以下となり、この結果、給湯装置の効率が向上し、また水が石灰を含有する場合でも石灰分が抽出されないので、熱交換器の耐久性の低下が防止される。
【００５９】
加えて、ユーザが湯を使用していない時には、給湯装置内の水が予熱循環モードによって循環するので、ユーザが湯を使用したい時に、設定温度レベルの湯を短時間で供給するとともに、冬季の周囲温度の低下による管の凍結を防止することが可能である。
【００６０】
更に、予熱循環プロセス中の水の流路において、三方向弁を手動又は自動で操作することで水が外部ラジエータ内を通過するので、給湯装置内に残留している水が、１つのみの内部ポンプを使用して予熱され、暖房機に使用可能である。
【００６１】
本発明は、実施例に限定されるものではないが、多くの変更及び修正をこの発明の精神と範囲とにそむくことなく実行できることは当業者に明らかとなろう。
【産業上の利用可能性】
【００６２】
本発明は、湯の使用量が変化した場合でも、湯温が著しく変化することなく前記湯を供給可能であり、また給湯装置内に残留している水の予熱中に、１つのみの内部ポンプを用いて暖房機に使用可能な給水システムにおいて利用される。
【図１】
2011525231.tif 000003
【図２】
2011525231.tif 000004
【図３】
2011525231.tif 000005
【図４】
2011525231.tif 000006
【図５】
2011525231.tif 000007
【図６】
2011525231.tif 000008
【図７】
2011525231.tif 000009
【図８】
2011525231.tif 000010
【図９】
2011525231.tif 000011
【図１０】
2011525231.tif 000012
【図１１】
2011525231.tif 000013
【図１２】
2011525231.tif 000014
【国際調査報告】
2011525231.tif 000015
2011525231.tif 000016